(57)【要約】【課題】着物の着付け方によって襦袢の衿形状（湾曲度）が異なっても、着用者が衿形状にあった半衿を選ぶことで、この半衿を襦袢の衿に被嵌装着した際に、内側となる首と接する側に皺が殆ど寄らずに見た目を損なわない着姿が美しく見えるよう、皺が寄りにくい形状の半衿を容易に製造することができる半衿の製造方法を提供する。【解決手段】地衿形成生地１に第一芯部２と切欠き部３を有する第二芯部４とを上下並設状態に重合して地衿部５を設け、この地衿部５は、前記切欠き部３から露出する前記地衿形成生地１を摘まんで該切欠き部３の両端を引き寄せ縫着して立体的な形状に構成し、この立体的な形状に構成した地衿部５の前記地衿形成生地１の反対側に表側生地６を縫着する半衿の製造方法。【選択図】図５
2011252239.tif 000002
【特許請求の範囲】
【請求項１】
襦袢の衿に被嵌装着する半衿の製造方法において、地衿形成生地に第一芯部と切欠き部を有する第二芯部とを上下並設状態に重合して地衿部を設け、この地衿部は、前記切欠き部から露出する前記地衿形成生地を摘まんで該切欠き部の両端を引き寄せ縫着して立体的な形状に構成し、この立体的な形状に構成した地衿部の前記地衿形成生地の反対側に表側生地を縫着することを特徴とする半衿の製造方法。
【請求項２】
前記地衿形成生地の上側に前記第一芯部を配し下側に前記第二芯部を配して、前記襦袢に装着した際に前記第一芯部が外側に前記第二芯部が内側に配するように構成したことを特徴とする請求項１記載の半衿の製造方法。
【請求項３】
前記第二芯部は、下端側をＶ字状に切欠いた前記切欠き部を設けたことを特徴とする請求項１，２のいずれか１項に記載の半衿の製造方法。
【請求項４】
前記第一芯部及び前記第二芯部は、接着芯であることを特徴とする請求項１〜３のいずれか１項に記載の半衿の製造方法。
【請求項５】
前記第一芯部と前記第二芯部とを前記地衿形成生地に並設する際に、この第一芯部と第二芯部との間に５ｍｍ以下の折曲部となる隙間を設けて並設することを特徴とする請求項１〜４のいずれか１項に記載の半衿の製造方法。
【請求項６】
前記第二芯部の長さを前記第一芯部よりも短い長さに設定し、前記第二芯部を設けた側が前記第一芯部を設けた側よりも長手方向が短くなるように構成し、前記折曲部に沿って折曲し第一芯部側と第二芯部側とを重合状態にした際に、前記第一芯部側の両端部が前記第二芯部側と重合しない構成としたことを特徴とする請求項５記載の半衿の製造方法。
【発明の詳細な説明】
【技術分野】
【０００１】
本発明は、襦袢の衿に被せて装着する半衿の製造方法に関するものである。
【背景技術】
【０００２】
従来、半衿は、襦袢の衿の汚れを防止するためのカバーとしての役割のものであったが、最近は、この半衿を装着する位置が顔に近く、相手から良く見られるところに位置することより、おしゃれとしての要素が強い装飾品として装着する人が増えてきている。
【０００３】
この半衿は、一般的には細長い方形状を呈しており、これを半分に折り曲げて襦袢の衿に被せるように装着するものであるが、襦袢に装着した際に、内側、即ち、首に接する側に皺が寄ってしまい（図２５参照）、折角、半衿を装飾品として装着しているのに、この皺ができることで見た目が損なわれてしまうという問題があった。
【０００４】
このような問題を改善するために、従来、特許文献１のように、半衿を湾曲形状に形成して襦袢の衿に装着した際に皺が寄りにくくしたものも提案されている。
【先行技術文献】
【特許文献】
【０００５】
【特許文献１】特開２００３−１３３０２号公報
【発明の概要】
【発明が解決しようとする課題】
【０００６】
しかしながら上記の特許文献１に示されるように単に湾曲形状に構成しただけでは、皺を無くすことはできず、また、この半衿の皺の生じ方は、着用時の衿形状、具体的には、例えば着物を着用する際に、品良く見せるために衿を丸くしたいときは、湾曲度が小さいので浅めの皺が広範囲に渡って生じ、例えば半玉のように衿を狭くして着物を着用する際は、湾曲度が大きくなり中央に深い皺が生じるといった具合に、衿の湾曲度によっても異なるものであるため、着物の着付け方によっては全く効果が見られない場合もあった。
【０００７】
そこで、本発明は、着物の着付け方によって襦袢の衿形状（湾曲度）が異なっても、着用者が、着付ける際の衿形状にあった半衿を選ぶことで、この半衿を襦袢の衿に被嵌装着した際に、内側となる首と接する側に皺が殆ど寄らずに見た目を損なわない着姿が美しく見えるよう、着付けした着物の衿形状にフィットする皺が寄りにくい形状の半衿を容易に製造することができる半衿の製造方法を提供することを目的とする。
【課題を解決するための手段】
【０００８】
添付図面を参照して本発明の要旨を説明する。
【０００９】
襦袢14の衿15に被嵌装着する半衿の製造方法において、地衿形成生地１に第一芯部２と切欠き部３を有する第二芯部４とを上下並設状態に重合して地衿部５を設け、この地衿部５は、前記切欠き部３から露出する前記地衿形成生地１を摘まんで該切欠き部３の両端を引き寄せ縫着して立体的な形状に構成し、この立体的な形状に構成した地衿部５の前記地衿形成生地１の反対側に表側生地６を縫着することを特徴とする半衿の製造方法に係るものである。
【００１０】
また、前記地衿形成生地１の上側に前記第一芯部２を配し下側に前記第二芯部４を配して、前記襦袢に装着した際に前記第一芯部２が外側に前記第二芯部４が内側に配するように構成したことを特徴とする請求項１記載の半衿の製造方法に係るものである。
【００１１】
また、前記第二芯部４は、下端側をＶ字状に切欠いた前記切欠き部３を設けたことを特徴とする請求項１，２のいずれか１項に記載の半衿の製造方法に係るものである。
【００１２】
また、前記第一芯部２及び前記第二芯部４は、接着芯であることを特徴とする請求項１〜３のいずれか１項に記載の半衿の製造方法に係るものである。
【００１３】
また、前記第一芯部２と前記第二芯部４とを前記地衿形成生地１に並設する際に、この第一芯部２と第二芯部４との間に５ｍｍ以下の折曲部７となる隙間を設けて並設することを特徴とする請求項１〜４のいずれか１項に記載の半衿の製造方法に係るものである。
【００１４】
また、前記第二芯部４の長さを前記第一芯部２よりも短い長さに設定し、前記第二芯部４を設けた側が前記第一芯部２を設けた側よりも長手方向が短くなるように構成し、前記折曲部７に沿って折曲し第一芯部２側と第二芯部４側とを重合状態にした際に、前記第一芯部２側の両端部が前記第二芯部４側と重合しない構成としたことを特徴とする請求項５記載の半衿の製造方法に係るものである。
【発明の効果】
【００１５】
本発明は上述のようにしたから、着用者が襦袢を着用した際に湾曲形状且つ立体的となる襦袢の衿とほぼ同等の形状に形成されるので、半衿を襦袢の衿に被嵌装着した状態において、この半衿の内側、即ち首と接する側に皺が寄らず、見た目を損なわず、着姿を美しくする半衿を容易に製造することができる生産性に優れた半衿の製造方法となる。
【００１６】
即ち、単に第二芯部に切欠き部を設けて、この切欠き部から露出する地衿形成生地を摘まみ寄せてダーツを形成するだけの極めて容易な作業で、地衿部を湾曲形状且つ立体的な形状とすることができる作業性、生産性に優れた画期的な半衿の製造方法となる。
【００１７】
また、請求項２〜５記載の発明においては、更に一層簡易な方法で本発明を容易に実現できる、より一層生産性に優れた半衿の製造方法となる。
【００１８】
また、請求項６記載の発明においては、例えば、腰紐付きの襦袢を着用した際に、従来の半衿は襦袢の衿を挟み込むようにして装着するので、この腰紐と干渉してしまうという不具合があったが、本発明の両端部は、襦袢の衿の表側としか重合せず、腰紐とは干渉しない構成としているので、腰紐付きの襦袢を着用した際にもきちんと腰紐を結ぶことができる実用性に優れた半衿を製造することができる半衿の製造方法となる。
【図面の簡単な説明】
【００１９】
【図１】本実施例の表側生地の内側面を示す図である。
【図２】本実施例の地衿形成生地の内側面を示す図である。
【図３】本実施例の第一芯部及び第二芯部を示す図である。
【図４】本実施例の地衿形成生地に第一芯部２と第二芯部４とを並設重合した状態の地衿部を示す図である。
【図５】本実施例の立体的な形状に形成した地衿部を示す図である。
【図６】本実施例の第一芯部と第二芯部とを地衿形成生地に縫着した状態の地衿部を示す図である。
【図７】本実施例の地衿部に補強芯部を設けた状態を示す図である。
【図８】本実施例を所定形状に形成するためのカット部を示す説明図である。
【図９】本実施例の内側面となる地衿部側を示す図である。
【図１０】本実施例の外側面となる表側生地側を示す図である。
【図１１】本実施例を折曲部に沿って折曲した状態の第一芯部を設けた側の面を示す図である。
【図１２】本実施例を折曲部に沿って折曲した状態の第二芯部を設けた側の面を示す図である。
【図１３】本実施例の表側生地の内側面に設けた合印を示す拡大説明図である。
【図１４】本実施例の地衿形成生地の内側面に設けた合印を示す拡大説明図である。
【図１５】本実施例の第二芯部に設けた切欠き部を示す拡大説明図である。
【図１６】本実施例の地衿形成生地に第一芯部と第二芯部とを並設重合した際の折曲部を示す拡大説明図である。
【図１７】本実施例の地衿部に設けたダーツを示す拡大説明図である。
【図１８】本実施例の第一芯部と第二芯部とを地衿形成生地に縫着した状態の要部を示す拡大説明図である。
【図１９】本実施例の補強芯部を示す拡大説明図である。
【図２０】本実施例の端部カット部を示す拡大説明図である。
【図２１】本実施例の内側面となる地衿部側の要部を示す拡大説明図である。
【図２２】本実施例の外側面となる表側生地側の一部を示す拡大説明図である。
【図２３】本実施例を示す説明斜視図である。
【図２４】本実施例の使用状態を示す説明図である。
【図２５】従来例を示す説明斜視図である。
【発明を実施するための形態】
【００２０】
好適と考える本発明の実施形態を、図面に基づいて本発明の作用を示して簡単に説明する。
【００２１】
第二芯部４に設けた切欠き部３から露出している地衿形成生地１を摘まみ寄せて縫着することで、地衿形成生地１に第一芯部２と第二芯部４とを上下並設状態に重合した際の第二芯部４を設けた側の下方側端辺が上方側端辺よりも短くなり地衿部５の形状が正面視湾曲形状になると共に、立体的な形状になる。
【００２２】
このように湾曲形状且つ立体的な形状に形成した地衿部５に合わせて表側生地６を縫着することで、襦袢14の衿15に被嵌装着した際には、滑らかな湾曲形状となり、従って、皺８が寄らずに見た目を損ねることもなく着姿の美しい半衿を製造することができる。
【実施例】
【００２３】
本発明の具体的な実施例について図面に基づいて説明する。
【００２４】
本実施例は、襦袢14の衿15に被嵌装着する半衿の製造方法において、地衿形成生地１に第一芯部２と切欠き部３を有する第二芯部４とを上下並設状態に重合して地衿部５を設け、この地衿部５は、前記切欠き部３から露出する前記地衿形成生地１を摘まんで該切欠き部３の両端を引き寄せ縫着して立体的な形状に構成し、この立体的な形状に構成した地衿部５の前記地衿形成生地１の反対側に表側生地６を縫着する半衿の製造方法である。
【００２５】
本実施例の具体的な製造方法を以下に示す。
【００２６】
先ず、半衿９を製造するにあたって、この半衿９を構成する芯部と生地の準備を行う。
【００２７】
本実施例の半衿９は、芯部となる第一芯部２、第二芯部４と、これらの芯部と重合する地衿形成生地１及び表側生地６で構成される。
【００２８】
この芯部となる第一芯部２と第二芯部４は、仕立て時に地衿形成生地１に位置決めされた状態で容易に重合できるように、熱可塑性の接着剤を付与した接着芯を用いており、この接着芯を夫々の所定形状に裁断して第一芯部２と第二芯部４とを形成し、また、第二芯部４においては、更に切欠き部３を複数箇所に設ける裁断処理を行う。
【００２９】
具体的には、図３に示すように、第一芯部２と第二芯部４は、長方形状の芯地を裁断して形成しており、第一芯部２は略帯状に形成し、より具体的には、地衿形成生地１に、この第一芯部２と第二芯部４とを上下並設状態に重合する際の第二芯部４側となる下端側を湾曲形状に形成し、この第一芯部２を正面視した際に両端部が中央部よりも幅広形状となる帯状に形成する。
【００３０】
一方、第二芯部４は、長手方向の長さを第一芯部２の長さよりも短くなるように設定しており、具体的には、この第二芯部４の両端部を短手方向に対して傾斜状態に切り落として、この第二芯部４が略台形状になるように形成し、更に、この第二芯部４の下端側となる台形状の短辺側の複数箇所に逆Ｖ字状の切欠き部３を設ける。
【００３１】
本実施例では、この切欠き部３を三箇所に設けおり、具体的には、図１５に示すように、第二芯部４の長手方向中央部に幅広の切欠き部３を一つ設け、この幅広の切欠き部３の左右両側に、この幅広の切欠き部３の略半分の幅の切欠き部３を一つずつ設けた構成としており、より具体的に説明すると、長手方向中央部に設ける幅広の切欠き部３は、開口幅を約１５ｍｍに形成しており、従って、この幅広の切欠き部３の略半分の幅となる左右両端部に設けた切欠き部３の開口幅は約８ｍｍに形成している。
【００３２】
尚、第二芯部４に設ける切欠き部３の設置数、設置位置、形状などの設定は、その特性を発揮する設定であれば適宜変更可能なものとし、例えば、着物の着姿を品良く見せたい場合には、襦袢14の衿15を湾曲度合いの少ない丸みを帯びた形状となるように衿15の形を整えるが、このような衿15の形にすると半衿９には浅い皺８が長手方向に広範囲に生じるので、このような場合に対応する半衿９とする場合は、開口幅を狭くした（例えば、１０ｍｍ以下）切欠き部３を長手方向に複数並設し、例えば、舞妓さんなどで半玉と言われる所謂半人前のひとは、襦袢14を着用する際には湾曲度の大きい衿15を狭くした状態、即ち、衿15の中央部を尖った形状に整えるが、このような衿15の形にすると半衿９の長手方向中央部に皺８が集中して生じるので、このような場合に対応する半衿９とする場合は、開口幅が幅広（例えば１０ｍｍ〜１５ｍｍ程度）の切欠き部３を長手方向中央部に設ける構成としても良い。
【００３３】
また、図２に示すように、地衿形成生地１は、長方形状（本実施例では、長さ約１２０ｃｍ、幅約１２ｃｍの長方形状）に裁断し、これに上述した第一芯部２と第二芯部４とを配置する際の位置決めの目印となる合印10ａを設ける。
【００３４】
具体的には、図１４に示すように、地衿形成生地１に設ける合印10ａは、この地衿形成生地１の裏面、即ち、表側生地６と重合した際の内側となる面に上述した第一芯部２と第二芯部４を配置する際の目印（基準点）となる合印10ａを設け、本実施例では、第二芯部４に設けた切欠き部３の開口部側となる両先端部を配置する位置に二本一組の合印10ａを三箇所に設けている。
【００３５】
また、図１に示すように、表側生地６は、長方形状（本実施例では、長さ約１２０ｃｍ、幅約１４ｃｍの長方形状）に裁断し、これに後述する仕立て時に地衿部５と重合する際の合わせ位置の位置決め目印となる合印10ｂを設ける。
【００３６】
具体的には、図１３に示すように、表側生地６に設ける合印10ｂは、地衿部５において切欠き部３から露出する地衿形成生地１を摘まみ、切欠き部３の両端部を引き寄せて縫着して形成したダーツ11の位置に設け、言い換えると、前述した二本一組の合印10ａの中間点となる位置と合わさる位置に合印10ｂを設け、本実施例では、上述のように合印10ａを三箇所に設けているので、合印10ｂもこれに対応するように三箇所に設ける。
【００３７】
尚、仕立て前準備である第一芯部２、第二芯部４の作製、及び地衿形成生地１、表側生地６に合印10を設ける作業に関しては、特に順序はない。
【００３８】
このようにして各部材を準備した後、これらを仕立てて半衿９を形成する。
【００３９】
仕立て順としては、先ず、図４に示すように、地衿形成生地１に第一芯部２と切欠き部３を設けた第二芯部４とを上下並設状態に重合する。
【００４０】
具体的には、地衿形成生地１の合印10ａを設けた裏面を表側とし、更に、合印10ａを下方に配した状態にして、この状態に配した地衿形成生地１の下側に第二芯部４を配置する。この際、第二芯部４に設けられた切欠き部３の開口部の両端部を、合印10ａに合わせて配置することで容易に位置決めできる。
【００４１】
地衿形成生地１に第二芯部４を配置した後、この第二芯部４の上側に第一芯部２を配置するが、この第一芯部２を配置する際は、図１６に示すように、この第一芯部２と第二芯部４との間に５ｍｍ以下、具体的には２ｍｍ〜３ｍｍの隙間を設けて折曲部７を形成した状態で配置し、第一芯部２と第二芯部４とを上下方向並設状態に重合する。
【００４２】
この第一芯部２と第二芯部４との間に折曲部７を形成したことで、襦袢14の衿15に被嵌装着する際の折曲重合を容易にすると共に、この折曲重合状態を保持し、即ち、折曲状態が広がらず装着時に衿15に確実に重合しずれが生じ難くなる。
【００４３】
このように地衿形成生地１に第一芯部２と第二芯部４とを上下並設状態に重合した状態のまま、アイロンなどの加熱装置で表面を加熱し、接着芯である第一芯部２と第二芯部４とを地衿形成生地１に接着して仮止め状態にする。
【００４４】
この地衿形成生地１に第一芯部２と第二芯部４とを重合接着した地衿部５において、図５に示すように、第二芯部４に設けた夫々の切欠き部３から露出している地衿形成生地１を摘まんで切欠き部３の両端部を引き寄せ、切欠き部３の両端部を接合した状態で縫着してダーツ11を形成し、この地衿部５を帯状の平面状態から立体的で且つ湾曲形状した形状状態にする。この際、縫着するのは地衿形成生地１のみであり、第二芯部４は縫わないように注意する。
【００４５】
また、ダーツ11形成後は、このダーツ11形成の際に摘まみ寄せて余らせた地衿形成生地１の処理を行う。この地衿形成生地１の処理は、図１７に示すように、長手方向中央部に設けた幅広の切欠き部３でダーツ11を形成した箇所は、摘まみ寄せた地衿形成生地１に切り込みを入れて縫代を左右に割った状態にし、この幅広の切欠き部３の左右に設けた幅の狭い切欠き部３でダーツ11を形成した箇所は、摘まみ寄せた地衿形成生地１を夫々外側（半衿９の先端部側）に向けて倒した片倒し状態にする。
【００４６】
このようにしてダーツ11の処理を施してから、地衿形成生地１に接着した第一芯部２と第二芯部４とが剥がれないように、図６に示すように、この第一芯部２と第二芯部４とを地衿形成生地１に縫着する。
【００４７】
具体的には、図１８に示すように、夫々の芯部２，４の外周を、端から１ｍｍ〜２ｍｍ内側に入ったところを縫着する。
【００４８】
この第一芯部２と第二芯部４とを縫着した地衿形成生地１に、図７に示すように、補強芯部12を重合して地衿部５を完成させる。
【００４９】
具体的には、この補強芯部12は、図１９に示すように、帯状の円弧形状に形成し、ダーツ11を形成した第二芯部４の略中央部に配して重合する。
【００５０】
また、本実施例では、この補強芯部12にも接着芯を採用しており、従って、ダーツ11を形成した第二芯部４の略中央部に配した状態で加熱し接着させ、一旦、仮止め状態とした後、外周を縫着して地衿部５を完成させる。
【００５１】
次いで、この完成した地衿部５に表側生地６を縫着するが、本実施例では、この地衿部５に表側生地６を縫着する際は、縫着後に表に返した際に地衿形成生地１及び表側生地６の夫々の表側がでるように、地衿部５の表側となる面、即ち、第一芯部２と第二芯部４との重合面でない面と、表側生地６の表側となる面とを重合させた状態で縫着し、表に返した際に縫い目が表側に出ずに、仕上がりの美しい半衿９となるようにしている。
【００５２】
また、地衿部５と表側生地６とをあわせる際、表側生地６に予め設けた合印10ｂを地衿形成生地１の第二芯部側に形成したダーツ11に合わせて位置決めを行うことで、容易に地衿部５と表側生地６との合わせを行うことができる。
【００５３】
このように表側となる面を内側に配した状態で長手方向の上端側及び下端側を縫着し筒状にした状態で、図８に示すように、第二芯部４を設けた側をこの第二芯部４の形状に合わせて地衿部５と表側生地６とを一緒に裁断する。
【００５４】
また、裁断して所定形状に形成した後、表に返した際に縫代がつまらないように、図２０に示すように、第二芯部４の先端部に切り込み13を設ける。
【００５５】
次いで、この状態でキセを掛けてから、地衿部５、表側生地６の夫々の表側が表面となるように表に返し、アイロンで型を整え、両端部（両先端部）の縫代を内側に折り込んで整えてから、この両端部を縫着し完成となる。
【００５６】
上述のような製造方法で製造した半衿９は、従来品に比して襦袢14の衿15に被嵌装着した際に皺８が寄りにくい形状、即ち、湾曲形状で且つ立体的な形状となるので、従来、装着時に生じていた皺８が殆ど生じることなく、見た目が損なわれずに着姿の美しい画期的な半衿を製造することができる。
【００５７】
即ち、第二芯部４に切欠き部３を設け、この切欠き部３を引き寄せてダーツ11を形成するだけの極めて簡易な構成で容易に地衿部５を立体的形状に形成することができ、従来の湾曲形状だけのものに比して、より襦袢14の衿15形状にフィットするので半衿９自体の形状も崩れず、より一層皺８が生じ難くなる半衿９を容易に製造することができるので、着付けした着物の衿形状にフィット形状となる半衿９を極めて容易に且つ低コストで製造することができる画期的な半衿の製造方法となる。
【００５８】
従って、従来の半衿は、襦袢14の衿15に被嵌装着する際は、この半衿と襦袢14の衿15とを縫着していたが、本実施例においては、折曲状態の半衿９で襦袢14の衿15を挟み込むだけの装着でも殆どズレが生じることがなく極めて容易に装着できる半衿９となる。
【００５９】
しかも、本実施例によれば、図２３に示すように、半衿９を襦袢14の衿15に被嵌装着した際に、衿15の内側に配する第二芯部４側が、衿15の外側（表側）に配する第一芯部２側よりも長手方向を短くした形状に形成し、折曲部７に沿って折曲し第一芯部２側と第二芯部４側とを重合状態にした際に、第一芯部２側の両端部が第二芯部４側と重合しない形状としているので、例えば、腰紐16付きの襦袢14を着用した際に、従来の半衿は襦袢14の衿15を挟み込むようにして装着するので、この腰紐16と干渉してしまい、腰紐16を上手く結ぶことができなかった、若しくは半衿９の先端部をきちんと襦袢14の衿15を挟み込まずに着用感にゴロツキを生じてしまう不具合があったが、本実施例のように製造した半衿９の両端部は、図２４に示すように、襦袢14の衿15の表側としか重合せず、腰紐16とは干渉しない構成としているので、腰紐16付きの襦袢14を着用した際にもきちんと腰紐16を結ぶことができる実用性に優れた半衿を製造することができる。
【００６０】
尚、本発明は、本実施例に限られるものではなく、各構成要件の具体的構成は適宜設計し得るものである。
【符号の説明】
【００６１】
１  地衿形成生地
２  第一芯部
３  切欠き部
４  第二芯部
５  地衿部
６  表側生地
７  折曲部
14  襦袢
15  衿
【図１】
2011252239.tif 000003
【図２】
2011252239.tif 000004
【図３】
2011252239.tif 000005
【図４】
2011252239.tif 000006
【図５】
2011252239.tif 000007
【図６】
2011252239.tif 000008
【図７】
2011252239.tif 000009
【図８】
2011252239.tif 000010
【図９】
2011252239.tif 000011
【図１０】
2011252239.tif 000012
【図１１】
2011252239.tif 000013
【図１２】
2011252239.tif 000014
【図１３】
2011252239.tif 000015
【図１４】
2011252239.tif 000016
【図１５】
2011252239.tif 000017
【図１６】
2011252239.tif 000018
【図１７】
2011252239.tif 000019
【図１８】
2011252239.tif 000020
【図１９】
2011252239.tif 000021
【図２０】
2011252239.tif 000022
【図２１】
2011252239.tif 000023
【図２２】
2011252239.tif 000024
【図２３】
2011252239.tif 000025
【図２４】
2011252239.tif 000026
【図２５】
2011252239.tif 000027